(57)【要約】【課題】遮蔽材を開閉操作可能とし、居住者が不在時等のセキュリティ監視、見守り等の保安性を確保するための保安機能付きブラインドを提供する。【解決手段】本発明の保安機能付きブラインドは、遮蔽材（スラット８０３等）を開閉操作可能とする保安機能付きブラインドであって、非操作時の遮蔽材の変形を検知する検知手段を備える。当該検知手段は、当該非操作時の遮蔽材の状態の変化の有無を検知する状態検知センサー８１０（８２０，８３０，８４０）と、該状態検知センサーからの信号を監視して当該非操作時の遮蔽材の変形を検知する制御ユニット８５０と、を備える。【選択図】図３
2019190117.tif 000002
【特許請求の範囲】
【請求項１】
遮蔽材を開閉操作可能とする保安機能付きブラインドであって、
非操作時の遮蔽材の変形を検知する検知手段を備えることを特徴とする、保安機能付きブラインド。
【請求項２】
前記検知手段は、
当該非操作時の遮蔽材の状態の変化の有無を検知する状態検知センサーと、
該状態検知センサーからの信号を監視して当該非操作時の遮蔽材の変形を検知する制御ユニットと、
を備えることを特徴とする、請求項１に記載の保安機能付きブラインド。
【請求項３】
前記制御ユニットは、前記状態検知センサーからのセンサー信号の発信強度、発信時間、及び単位時間あたりの発信回数のうち１以上について設定した１つ又は複数の閾値に基づいて変形発生情報を送信するか否かを判定し、当該非操作時の遮蔽材の変形を検知した旨を示す１つ又は複数種類の変形発生情報を予め定めた他機器へ送信する送信手段を有することを特徴とする、請求項２に記載の保安機能付きブラインド。
【請求項４】
前記送信手段は、前記変形発生情報を、前記予め定めた他機器として、通信接続される移動端末、又は所定の警報装置に送信する手段を有することを特徴とする、請求項３に記載の保安機能付きブラインド。
【請求項５】
前記送信手段は、前記変形発生情報を、前記予め定めた他機器として、通信接続される所定のサーバーに送信し、該所定のサーバーにより前記変形発生情報を基に監視カメラを作動させ、該監視カメラの映像を自動記録させ、該映像を通信接続される移動端末に送信させるよう機能させる手段を有することを特徴とする、請求項３又は４に記載の保安機能付きブラインド。
【請求項６】
当該保安機能付きブラインドは電動ブラインドからなり、
前記送信手段は、前記電動ブラインドを遠隔操作可能とする移動端末に当該変形発生情報を送信する手段を有することを特徴とする、請求項３から５のいずれか一項に記載の保安機能付きブラインド。
【請求項７】
当該保安機能付きブラインドは、ヘッドボックスから前記遮蔽材として複数のスラットを吊下支持するブラインドからなり、
前記状態検知センサーは、前記複数のスラットのうち１以上に取着され、
前記制御ユニットは、該状態検知センサーからの信号を監視して当該非操作時のスラットの変形を検知する手段を有することを特徴とする、請求項２から６のいずれか一項に記載の保安機能付きブラインド。
【請求項８】
当該保安機能付きブラインドは、ヘッドボックスから前記遮蔽材として複数のスラットを吊下支持するブラインドからなり、
前記複数のスラットのうち１以上を係止する検知用コードが前記ヘッドボックスから吊下され、前記状態検知センサーは、前記検知用コードの端部を接続した所定の弾性体に取着され、
前記制御ユニットは、該状態検知センサーからの信号を監視して当該非操作時のスラットの変形を検知する手段を有することを特徴とする、請求項２から６のいずれか一項に記載の保安機能付きブラインド。
【請求項９】
当該保安機能付きブラインドは、ヘッドボックスから前記遮蔽材として複数のスラットを吊下支持するブラインドからなり、
前記状態検知センサーは、前記複数のスラットを支持するラダーコード、又は該ラダーコードを吊下するチルトドラム、或いはその双方に対して係合載置され、
前記制御ユニットは、該状態検知センサーからの信号を監視して当該非操作時のスラットの変形を検知する手段を有することを特徴とする、請求項２から６のいずれか一項に記載の保安機能付きブラインド。
【請求項１０】
当該保安機能付きブラインドは、ヘッドボックスから前記遮蔽材として複数のスラットを吊下支持するブラインドからなり、
前記状態検知センサーは、前記複数のスラットを昇降させる昇降コード、又は該昇降コード用の巻取ドラム、或いはその双方に対して係合載置され、
前記制御ユニットは、該状態検知センサーからの信号を監視して当該非操作時のスラットの変形を検知する手段を有することを特徴とする、請求項２から６のいずれか一項に記載の保安機能付きブラインド。
【請求項１１】
当該保安機能付きブラインドは、前記遮蔽材を開閉操作のために移動させる移送手段を有し、前記状態検知センサーは、前記移送手段に対して係合載置され、
前記制御ユニットは、該状態検知センサーからの信号を監視して当該非操作時の遮蔽材の変形を検知する手段を有することを特徴とする、請求項２から６のいずれか一項に記載の保安機能付きブラインド。
【発明の詳細な説明】
【技術分野】
【０００１】
本発明は、遮蔽材を開閉操作可能とし、居住者が不在時等のセキュリティ監視、見守り（幼児がコードに絡むような事故の未然防止）等の保安性を確保するための保安機能付きブラインドに関する。
【背景技術】
【０００２】
従来、スマートフォンやタブレット等の移動端末を用いて、電動式の縦型又は横型ブラインド、ロールスクリーン、カーテン、ローマンシェード等の屋内の電動遮蔽装置（ブラインド）を制御可能とするシステムが知られている。
【０００３】
例えば、リモートコントローラや有線スイッチで操作可能な電動遮蔽装置に対し、タッチパネル式の表示画面を備える移動端末をリモートコントローラや有線スイッチと同等に機能させるだけでなく、種々の電動遮蔽装置の個別操作、グループ操作、全体操作、或いはタイマー操作の操作性を向上させるよう、移動端末から中継変換機を介して電動遮蔽装置へと通信接続する技法が開示されている（例えば、特許文献１参照）。
【０００４】
この特許文献１の技法においては、移動端末と送受信親機或いは中継変換機との接続のために、Ｗｉ−Ｆｉ等の近距離無線通信、或いはインターネット経由の接続を想定し、移動端末のタッチパネル式の表示画面に提示される電動遮蔽装置の操作に係るアプリケーションを起動すると、操作対象の電動遮蔽装置のタスクが表示されるものとなっている。
【先行技術文献】
【特許文献】
【０００５】
【特許文献１】特開２０１７−３４４１９号公報
【発明の概要】
【発明が解決しようとする課題】
【０００６】
上述したように、特許文献１には、電動遮蔽装置に対し、タッチパネル式の表示画面を備える移動端末から中継変換機を介して電動遮蔽装置へと通信接続する技法が開示されている。しかし、電動ブラインドについて移動端末等から遠隔操作可能として利便性が高まるものの、居住者が不在時等のセキュリティ監視、見守り（幼児がコードに絡むような事故の未然防止）等の保安性を向上させる技法が望まれる。また、電動操作のものに限らず手動操作の横型ブラインドについても保安性を向上させることが要望される。
【０００７】
本発明の目的は、上述した問題に鑑みて、遮蔽材を開閉操作可能とし、居住者が不在時等のセキュリティ監視、見守り等の保安性を確保するための保安機能付きブラインドを提供することにある。
【課題を解決するための手段】
【０００８】
本発明の保安機能付きブラインドは、遮蔽材を開閉操作可能とする保安機能付きブラインドであって、非操作時の遮蔽材の変形を検知する検知手段を備えることを特徴とする。
【０００９】
また、本発明の保安機能付きブラインドにおいて、前記検知手段は、当該非操作時の遮蔽材の状態の変化の有無を検知する状態検知センサーと、該状態検知センサーからの信号を監視して当該非操作時の遮蔽材の変形を検知する制御ユニットと、を備えることを特徴とする。
【００１０】
また、本発明の保安機能付きブラインドにおいて、前記制御ユニットは、前記状態検知センサーからのセンサー信号の発信強度、発信時間、及び単位時間あたりの発信回数のうち１以上について設定した１つ又は複数の閾値に基づいて変形発生情報を送信するか否かを判定し、当該非操作時の遮蔽材の変形を検知した旨を示す１つ又は複数種類の変形発生情報を予め定めた他機器へ送信する送信手段を有することを特徴とする。
【００１１】
また、本発明の保安機能付きブラインドにおいて、前記送信手段は、前記変形発生情報を、前記予め定めた他機器として、通信接続される移動端末、又は所定の警報装置に送信する手段を有することを特徴とする。
【００１２】
また、本発明の保安機能付きブラインドにおいて、前記送信手段は、前記変形発生情報を、前記予め定めた他機器として、通信接続される所定のサーバーに送信し、該所定のサーバーにより前記変形発生情報を基に監視カメラを作動させ、該監視カメラの映像を自動記録させ、該映像を通信接続される移動端末に送信させるよう機能させる手段を有することを特徴とする。
【００１３】
また、本発明の保安機能付きブラインドにおいて、当該保安機能付きブラインドは電動ブラインドからなり、前記送信手段は、前記電動ブラインドを遠隔操作可能とする移動端末に当該変形発生情報を送信する手段を有することを特徴とする。
【００１４】
また、本発明の保安機能付きブラインドにおいて、当該保安機能付きブラインドは、ヘッドボックスから前記遮蔽材として複数のスラットを吊下支持するブラインドからなり、前記状態検知センサーは、前記複数のスラットのうち１以上に取着され、前記制御ユニットは、該状態検知センサーからの信号を監視して当該非操作時のスラットの変形を検知する手段を有することを特徴とする。
【００１５】
また、本発明の保安機能付きブラインドにおいて、当該保安機能付きブラインドは、ヘッドボックスから前記遮蔽材として複数のスラットを吊下支持するブラインドからなり、前記複数のスラットのうち１以上を係止する検知用コードが前記ヘッドボックスから吊下され、前記状態検知センサーは、前記検知用コードの端部を接続した所定の弾性体に取着され、前記制御ユニットは、該状態検知センサーからの信号を監視して当該非操作時のスラットの変形を検知する手段を有することを特徴とする。
【００１６】
また、本発明の保安機能付きブラインドにおいて、当該保安機能付きブラインドは、ヘッドボックスから前記遮蔽材として複数のスラットを吊下支持するブラインドからなり、前記状態検知センサーは、前記複数のスラットを支持するラダーコード、又は該ラダーコードを吊下するチルトドラム、或いはその双方に対して係合載置され、前記制御ユニットは、該状態検知センサーからの信号を監視して当該非操作時のスラットの変形を検知する手段を有することを特徴とする。
【００１７】
また、本発明の保安機能付きブラインドにおいて、当該保安機能付きブラインドは、ヘッドボックスから前記遮蔽材として複数のスラットを吊下支持するブラインドからなり、前記状態検知センサーは、前記複数のスラットを昇降させる昇降コード、又は該昇降コード用の巻取ドラム、或いはその双方に対して係合載置され、前記制御ユニットは、該状態検知センサーからの信号を監視して当該非操作時のスラットの変形を検知する手段を有することを特徴とする。
【００１８】
また、本発明の保安機能付きブラインドにおいて、当該保安機能付きブラインドは、前記遮蔽材を開閉操作のために移動させる移送手段を有し、前記状態検知センサーは、前記移送手段に対して係合載置され、前記制御ユニットは、該状態検知センサーからの信号を監視して当該非操作時の遮蔽材の変形を検知する手段を有することを特徴とする。
【発明の効果】
【００１９】
本発明によれば、居住者が不在時等のセキュリティ監視、見守り等の保安性を向上させることができる。例えば、セキュリティシステムとして、非操作時の変形発生情報に基づいて警告ライトを点灯させることやブザー音を発生させることができ、好適には自動的に宅内の監視カメラを作動させ対応するブラインドを録画することや、外出先でもインターネットを通じて移動端末に通知し、より好適には監視カメラの映像を見ることができるようになる。また、幼児がコードに絡むような事故の未然防止として見守りシステムを構成することができる。
【図面の簡単な説明】
【００２０】
【図１】本発明による各実施形態の保安機能付きブラインドを備える保安システムの一例を示す図である。
【図２】本発明による各実施形態の保安機能付きブラインドを備える保安システムの動作例を示すフローチャートである。
【図３】本発明による第１実施形態の保安機能付きブラインドとして構成される横型ブラインドの概略構成を示す正面図である。
【図４】本発明による第１実施形態の保安機能付きブラインドとして構成される横型ブラインドにおける制御ユニットの概略構成を示すブロック図である。
【図５】本発明による第２実施形態の保安機能付きブラインドとして構成される横型ブラインドの概略構成を示す正面図である。
【図６】（ａ）,（ｂ）は、それぞれ本発明による第２実施形態の保安機能付きブラインドとして構成される横型ブラインドにおける状態検知センサーの概略的な周辺構成を示す平面図及び正面図である。
【図７】本発明による第２実施形態の保安機能付きブラインドとして構成される横型ブラインドの動作例を示す正面図である。
【図８】本発明による第３実施形態の保安機能付きブラインドとして構成される横型ブラインドの概略構成を示す正面図である。
【図９】本発明による第４実施形態の保安機能付きブラインドとして構成される横型ブラインドの概略構成を示す正面図である。
【図１０】（ａ）,（ｂ）は、それぞれ本発明に係る一実施例の状態検知センサーの構成及び動作を示す斜視図である。
【図１１】（ａ）,（ｂ）は、それぞれ本発明に係る別の一実施例の状態検知センサーの構成及び動作を示す平面図である。
【発明を実施するための形態】
【００２１】
以下、図面を参照して、本発明による各実施形態の保安機能付きブラインドとして代表して横型ブラインドについて説明するが、まず本発明による各実施形態の保安機能付きブラインドとして構成される横型ブラインドを備える保安システムを例示して説明する。
【００２２】
（保安システム）
図１は、本発明による各実施形態の保安機能付きブラインドとして構成される横型ブラインド（電動ブラインド８Ｅ，ブラインド８Ｎ）を備える保安システムの一例を示す図である。
【００２３】
まず、電動ブラインド８Ｅは、電動でスラットの昇降や回転の開閉動作を可能とする横型ブラインドであり、所定の間仕切り領域（例えば、リビング、寝室、部屋Ａ、…）に１以上設けられている。電動ブラインド８Ｅには、詳細に後述するが、非操作時のスラットの状態の変化の有無を検知する状態検知センサー（図１では図示略）と、制御ユニット８５０が設けられている。制御ユニット８５０は、当該状態検知センサーからの信号を監視し、非操作時のスラットの変形を検知し、検知した旨を示す変形発生情報を他機器へ送信する機能を有する。
【００２４】
当該変形発生情報の送信先とする他機器として、移動端末１、警報装置（ライト又はブザーでの警告を行う警報機１４、又は監視カメラ１５）がある。即ち、図１に示す例では、本発明による各実施形態の横型ブラインド（電動ブラインド８Ｅ，ブラインド８Ｎ）から発信される当該変形発生情報は、通信路７経由でブラインド専用の無線信号で相互通信接続可能な信号処理装置２に送信され、有線又は無線ＬＡＮの通信路４経由で接続される無線ルーター３を経由し、通信路５経由で接続される屋外のサーバー１１又は屋内のホームサーバー１３を介して、或いは無線ルーター３を介して移動端末１へと送信され、更には、屋内のホームサーバー１３を介して警報装置（ライト又はブザーでの警告を行う警報機１４、又は監視カメラ１５）へと送信される。
【００２５】
尚、電動ブラインド８Ｅにおける制御ユニット８５０では、リモートコントローラ８１や有線スイッチ８２等によりスラットの開閉動作を制御可能とする機能を有する。図示する例では、制御ユニット８５０は通信経路９で示す無線信号通信で遠隔操作可能とするリモートコントローラ８１と無線接続可能となっているが、その他、赤外線リモコンとの無線接続や、移動端末１を含む外部機器（パーソナルコンピュータ）との有線又は無線接続で電動ブラインド８Ｅにおけるスラットの開閉動作を操作可能とすることもできる（図示せず）。
【００２６】
一方、ブラインド８Ｎは、手動でスラットの昇降を行い電動でスラットの回転の開閉動作を可能とするハイブリッド型や、手動のみでスラットの昇降や回転の開閉動作を可能とする完全手動型の横型ブラインドであり、所定の間仕切り領域（例えば、リビング、寝室、部屋Ａ、…）に１以上設けられている。ブラインド８Ｎにも、非操作時のスラットの状態の変化の有無を検知する状態検知センサー（図１では図示略）と、制御ユニット８５０が設けられている。制御ユニット８５０は、当該状態検知センサーからの信号を監視し、非操作時のスラットの変形を検知し、検知した旨を示す変形発生情報を他機器へ送信する機能を有する。
【００２７】
ところで、ブラインド８Ｎにおける制御ユニット８５０は、当該ハイブリッド型の場合ではリモートコントローラ８１や有線スイッチ８２等により電動でスラットの開閉動作を制御可能とする機能を有し、完全手動型の場合では電動でスラットの開閉動作を制御可能とする機能は無くともよい。
【００２８】
このように、本発明による各実施形態の横型ブラインド（電動ブラインド８Ｅ，ブラインド８Ｎ）には、詳細に後述するが、非操作時のスラットの状態の変化の有無を検知する状態検知センサー（図１では図示略）と、この状態検知センサーからの信号を監視し、非操作時のスラットの変形を検知し、検知した旨を示す変形発生情報を他機器へ送信する機能を有する制御ユニット８５０が設けられている。
【００２９】
図１に示す移動端末１は、屋内では、通信経路１６又は６で示すＷｉ−Ｆｉ等の近距離無線通信を介して、ホームサーバー１３を経由して、或いは直接的に無線ルーター３を経由して、この無線ルーター３に有線又は無線ＬＡＮの通信経路４を経て接続される信号処理装置２と相互通信接続可能となっている。尚、無線ルーター３は、通信経路５を経て屋外からの接続又は屋外への接続を許容しており、例えば、サーバー１１に接続される。このため、信号処理装置２は、インターネット等のネットワーク上の一機器として接続されている。従って、移動端末１は、屋外では、通信経路１２で示すＷｉ−Ｆｉ等の近距離無線通信を介して、サーバー１１を経て無線ルーター３を経由して信号処理装置２と相互通信接続可能となっている。
【００３０】
ホームサーバー１３には、警報装置（ライト又はブザーでの警告を行う警報機１４、又は監視カメラ１５）が接続される。尚、警報装置（ライト又はブザーでの警告を行う警報機１４、又は監視カメラ１５）は、信号処理装置２や各実施形態の横型ブラインド（電動ブラインド８Ｅ，ブラインド８Ｎ）に直接的に接続する形態でもよく、この場合にはホームサーバー１３を設けなくてもよい。
【００３１】
移動端末１は、各実施形態の横型ブラインド（電動ブラインド８Ｅ，ブラインド８Ｎ）からの当該変形発生情報を受信するよう機能するものであり、本例では信号処理装置２を介して例えばメールシステムを利用し受信する。信号処理装置２は、移動端末１と各実施形態の横型ブラインド（電動ブラインド８Ｅ，ブラインド８Ｎ）との間に設置される中継変換機として機能し、且つＷｅｂサーバーとして機能する。
【００３２】
尚、移動端末１は、当該変形発生情報を受信するよう機能するものであればよいが、本例では、当該Ｗｅｂサーバーとして機能する信号処理装置２からデバイス操作（電動ブラインド８Ｅの操作）に関する操作メニュー（図示略）を示すユーザーインターフェース（ＵＩ）が提示され、電動ブラインド８Ｅを遠隔操作可能とする構成となっている。ただし、移動端末１は、操作メニューを提示するアプリケーションを予め記憶して、このアプリケーションの実行により、信号処理装置２を経て電動ブラインド８Ｅを遠隔操作する構成とすることや、信号処理装置２を各電動ブラインド８Ｅに備え付けることで、移動端末１が操作対象の電動ブラインド８Ｅと直接的に通信する形態とすることもできる。
【００３３】
従って、制御ユニット８５０を備える電動ブラインド８Ｅは、それぞれリモートコントローラ８１、有線スイッチ８２、及び移動端末１の操作を基に、スラットの開動作を操作することができるようになっている。リモートコントローラ８１及び有線スイッチ８２は、それぞれ電動ブラインド８Ｅにおけるスラットの開動作を操作する開ボタン（図示“△”）、開動作を操作する閉ボタン（図示“▽”）、及びその開閉動作の停止を操作する停止ボタン（図示“□”）を有する。
【００３４】
尚、図示する例では、個々の電動ブラインド８Ｅに対し個々のリモートコントローラ８１を図示しているが、１つのリモートコントローラ８１で、複数の電動ブラインド８Ｅを操作可能とする構成とすることもできる。例えば、電動ブラインド８Ｅ及びリモートコントローラ８１に固有のＩＤを割り当て、これらのＩＤを基に、複数の電動ブラインド８Ｅを識別して個別に、或いは複数の電動ブラインド８Ｅを一括してグループ操作できるように設定すればよい。制御ユニット８５０を備える電動ブラインド８Ｅは、移動端末１の操作を基に、通信経路７で示す信号処理装置２からの無線信号により操作することができる。そして、電動ブラインド８Ｅにおける制御ユニット８５０は、移動端末１からの操作に係るコマンドを含む信号処理装置２からの無線信号であるか、リモートコントローラ８１からの操作に係るコマンドを含む無線信号であるかを識別できるようになっている。
【００３５】
そして、信号処理装置２は、移動端末１により、屋内に設置される種々の電動ブラインド８Ｅを操作可能とするための中継変換機として、本例ではＷｅｂサーバーとして構成され、固有のＷｅｂアドレスを有している。即ち、移動端末１は、当該Ｗｅｂアドレスによって信号処理装置２に通信接続すると、Ｗｅｂサーバーとして構成される信号処理装置２から、屋内に設置される種々の電動ブラインド８Ｅを操作可能とするユーザーインターフェース（ＵＩ）が提示される。このため、移動端末１は、Ｗｅｂサーバー機能を有する信号処理装置２を経て、電動ブラインド８Ｅを操作するためのＷｅｂ端末として機能するようになっている。
【００３６】
信号処理装置２は、移動端末１のタッチパネル式の表示画面上に、当該信号処理装置２との接続を確立するためのＷｅｂアドレスへと誘導する起動アイコンを記憶し表示可能とするよう、登録設定させる機能を有する。また、信号処理装置２は、ユーザ認証（ユーザＩＤ及びパスワード）に基づいてユーザを認証して判別し、ユーザ毎に種々の電動遮蔽装置８の操作に係る各種設定を保持し、その各種設定を当該ＵＩ上で移動端末１に提示できるようになっている。
【００３７】
このため、信号処理装置２はコンピューターで構成させることができる。当該コンピューターに、信号処理装置２の各機能を実現させるためのプログラムは、当該コンピューターの内部又は外部のメモリ（図示せず）に記憶される。当該コンピューターに備えられる中央演算処理装置（ＣＰＵ）などの制御で、信号処理装置２の各機能を実現するための処理内容が記述されたプログラムを、適宜、当該メモリから読み込んで、信号処理装置２の各機能に相当する処理を当該コンピューターに実現させることができる。
【００３８】
尚、信号処理装置２の設置当初の電源投入時に、後述する各実施形態の横型ブラインドを含む種々の電動遮蔽装置に備えられる制御ユニット８５０との相互通信接続を試み、通信可能となった種々の電動遮蔽装置に対し個々を識別するＩＤを自動的に割り当て（或いは予め設定されるＩＤを読み出し）、個々を識別するデバイス番号、デバイス種類（横型ブラインド、ロールスクリーン等）、及び操作可能内容（開閉に係る開度（開閉度合）やチルト、タイマー制御等）の情報を取得して、外部編集可能に当該メモリに記憶する。ここで、信号処理装置２が用いる当該電動遮蔽装置のＩＤは、信号処理装置２自身が管理するのに用いる識別子であるため、グループ操作可能としたリモートコントローラ８１で用いる電動遮蔽装置のＩＤと一致させる必要はない。
【００３９】
外部編集として、例えば、デバイス番号１には「リビングＡ」、デバイス番号２には「リビングＢ」等のＵＩ表示を可能とする分かりやすいデバイス名称を付与することができる。また、信号処理装置２は、ユーザ単位での種々の電動遮蔽装置を動作設定できるため、ユーザ毎に異なるデバイス名称を付与することもできる。この外部編集のために、移動端末１に対してユーザーインターフェース（ＵＩ）を提示した際に、当該編集可能な編集メニュー欄を設けるか、又は、信号処理装置２自体に外部編集可能なキーボードや操作パネル等を設けるか、或いはネットワーク上に接続されるコンピューターにより当該外部編集を行えるように信号処理装置２が構成される。
【００４０】
上述したように、本発明による各実施形態の横型ブラインド（電動ブラインド８Ｅ，ブラインド８Ｎ）には、非操作時のスラットの状態の変化の有無を検知する状態検知センサー（図１では図示略）と、この状態検知センサーからの信号を監視し、非操作時のスラットの変形を検知し、検知した旨を示す変形発生情報を他機器へ送信する機能を有する制御ユニット８５０が設けられている。信号処理装置２は、変形発生情報を他機器へ中継送信する際に、当該変形発生情報が、どの横型ブラインド（電動ブラインド８Ｅ，ブラインド８Ｎ）から発信されたものであるかを示す当該電動遮蔽装置のＩＤを付与して中継送信するのが好適である。
【００４１】
図２は、本発明による各実施形態の保安機能付きブラインドを備える保安システムの動作例を示すフローチャートである。保安機能付きブラインドとして構成される電動ブラインド８Ｅ，ブラインド８Ｎは、制御ユニット８５０により、非操作時の遮蔽材（本例ではスラット）の状態の変化の有無を検知する状態検知センサー（図１では図示略）と、この状態検知センサーからの信号を監視する（ステップＳ１）。制御ユニット８５０は、非操作時のスラットの変形を検知すると（ステップＳ２）、状態検知センサーからの信号について閾値判定を行い、変形発生情報を送信するか否かを判定する（ステップＳ３）。尚、状態検知センサーは、詳細に例示して後述するが、歪みゲージ、導電性インク、圧電素子、加速度センサー、力センサー、衝撃センサー、振動センサー、弛みセンサーなど、設置する場所等に応じて種々のものを利用できる。そして、制御ユニット８５０は、当該閾値判定として、状態検知センサーの種別に応じたセンサー信号の発信強度、発信時間、及び単位時間あたりの発信回数のうち１以上について保安性の観点から１つ又は複数の閾値を設定し、変形発生情報を送信するか否かを判定する。
【００４２】
続いて制御ユニット８５０は、変形発生情報を送信すると判定すると、信号処理装置２経由で移動端末１、警報装置（ライト又はブザーでの警告を行う警報機１４、又は監視カメラ１５）へと送信する。警報機１４は変形発生情報の受信で作動しライト又はブザーでの警告を行い（ステップＳ４）、監視カメラ１５は撮影を作動させる（ステップＳ５）。監視カメラの映像はホームサーバー１３へ自動記録し、これに加えて好適には移動端末１へ動画ファイルとしてリアルタイムに伝送する。
【００４３】
尚、警報装置（ライト又はブザーでの警告を行う警報機１４、又は監視カメラ１５）が信号処理装置２に接続される構成や、制御ユニット８５０に信号処理装置２に接続される構成とする場合も、同様に動作させることができる。
【００４４】
以下、状態検知センサー（図１では図示略）と制御ユニット８５０を備えることで保安機能付きとした横型ブラインド（電動ブラインド８Ｅ，ブラインド８Ｎ）について、代表して、手動でスラットの昇降を行い電動でスラットの回転の開閉動作を可能とするハイブリッド型のブラインド８Ｎを例に、各実施形態の保安機能付きブラインドを詳細に説明する。
【００４５】
（第１実施形態の保安機能付きブラインド）
図３は、本発明による第１実施形態の保安機能付きブラインドとして構成されるハイブリッド型のブラインド８Ｎ（横型ブラインド）の概略構成を示す正面図である。
【００４６】
図３に示すハイブリッド型のブラインド８Ｎ（横型ブラインド）は、ヘッドボックス８０１からラダーコード８０２によって多数段のスラット８０３が吊下支持されている。ラダーコード８０２の上端はチルトドラム８０４に取着され、ラダーコード８０２の下端はボトムレール８０６に取着される。また、ヘッドボックス８０１から垂下する昇降コード８０５の下端はボトムレール８０６に取着されてボトムレール８０６が吊下支持される。当該昇降コード８０５の上端はヘッドボックス８０１内で案内されて、図２に示す例ではヘッドボックス８０１の左端側に設けられるコード導出口８０１ａから外部に導出され、コードイコライザ８０７に取着される。このコードイコライザ８０７に操作コード８０８の上端が取着され、操作コード８０８の下端はボトムレール８０６に取着される。コードイコライザ８０７に連結される操作コード８０８によって、多数段のスラット８０３及びボトムレール８０６の直引きによる昇降操作が可能となっている。
【００４７】
また、各ラダーコード８０２を吊下するチルトドラム８０４の軸中心には駆動軸８０９が相対回転不能に挿通され、駆動軸８０９の一端（図示する例では右端）は駆動軸操作部８１２に連結される。駆動軸操作部８１２は、本例ではモーターにより構成され、制御ユニット８５０によって駆動制御される。制御ユニット８５０は、リモートコントローラや有線スイッチ等（図示略）によりスラットの回転（チルト）動作を制御する。このように、図３に示す横型ブラインドは、手動でスラット８０３の昇降を行い電動でスラット８０３の回転の開閉動作を可能とするハイブリッド型として構成される。
【００４８】
尚、駆動軸操作部８１２をモーターで構成する代わりに、チルト棒を吊下し、チルト棒の回転を駆動軸８０９の回転へと伝達するギヤボックスで構成すれば、手動のみでスラットの昇降や回転の開閉動作を可能とする完全手動型の横型ブラインドとして構成できる。
【００４９】
また、電動ブラインド８Ｅでは、チルトドラム８０４に併設して駆動軸８０９（或いは別の駆動軸）と一体回転する巻取ドラムを設け、この巻取ドラムによって当該昇降コード８０５の巻き取り、或いは巻き戻しを行うようにモーターで構成する駆動軸操作部８１２を制御ユニット８５０により制御する構成となる。
【００５０】
ところで、図３に示すハイブリッド型のブラインド８Ｎ（横型ブラインド）には、多数段のスラット８０３の各々（或いは一定間隔でもよい）に、状態検知センサー８１０が取着されている。この状態検知センサー８１０の典型例としてスラット３に貼付可能な歪みゲージ、或いはスラット３にプリント可能な導電性インク（例えばhttp://www.jst.go.jp/pr/announce/20150625/参照）とすることができる。スラット８０３に貼着された各歪みゲージ、或いは導電性インクに接続される信号コードを枝配線する可撓性の多軸コード８１１は、制御ユニット８５０へと案内され接続されている。
【００５１】
本例の制御ユニット８５０は、図４に示すように、中央演算処理ユニット（ＣＰＵ）８５１、メモリ８５２、状態検知部８５３、通信部８５４、駆動制御部８５５、及び作動スイッチ（ＳＷ）部８５６を備える。
【００５２】
中央演算処理ユニット（ＣＰＵ）８５１は、メモリ８５２に保持されるプログラムを読み出し実行することで、制御ユニット８５０の機能を実現する。
【００５３】
状態検知部８５３は、多軸コード８１１を経て各状態検知センサー８１０の信号を入力しＣＰＵ８５１に出力する。
【００５４】
ＣＰＵ８５１は、各状態検知センサー８１０の信号を基に、非操作時の遮蔽材（本例ではスラット）の状態の変化の有無を監視して、非操作時のスラットの変形を検知すると、状態検知センサーからの信号について閾値判定を行い、変形発生情報を送信するか否かを判定する機能を有する。例えば、状態検知センサー８１０の典型例として歪みゲージ又は導電性インクとした場合、スラットの変形に伴って歪みゲージ、或いは導電性インクの抵抗値が変化する。そこで、ＣＰＵ８５１は、その抵抗値変化に基づいたセンサー信号の発信強度、発信時間、及び単位時間あたりの発信回数のうち１以上について保安性の観点から１つ又は複数の閾値を設定し、変形発生情報を送信するか否かを判定する。
【００５５】
そして、ＣＰＵ８５１は、変形発生情報を送信すると判定すると、通信部８５４を介して、信号処理装置２経由で移動端末１、警報装置（ライト又はブザーでの警告を行う警報機１４、又は監視カメラ１５）へと送信する機能を有する。
【００５６】
本例の駆動軸操作部８１２はモーターにより構成され、ＣＰＵ８５１は、リモートコントローラや有線スイッチ等（図示略）からの操作信号を受け付け、駆動制御部８５５を制御して、当該モーターの回転を制御し、スラットの回転（チルト）動作を制御する機能を有する。
【００５７】
尚、駆動軸操作部８１２をモーターで構成する代わりに、チルト棒を吊下し、チルト棒の回転を駆動軸８０９の回転へと伝達するギヤボックスで構成すれば、手動のみでスラットの昇降や回転の開閉動作を可能とする完全手動型の横型ブラインドとして構成できるので、この場合には当該操作信号を受け付ける機能や駆動制御部８５５の機能は不要である。
【００５８】
作動スイッチ（ＳＷ）部８５６は、完全手動型の横型ブラインドとして構成した場合に対応させるために、外部操作で、当該変形発生情報に基づいた保安機能を実行させるか否かをＯＮ／ＯＦＦさせる機能部である。ハイブリッド型の横型ブラインドとして構成した場合には、リモートコントローラや有線スイッチ等（図示略）からの操作信号により当該変形発生情報に基づいた保安機能を実行させるか否かをＯＮ／ＯＦＦさせ、作動スイッチ（ＳＷ）部８５６を不要とする構成とすることもできる。
【００５９】
このように、図３に示す横型ブラインドは、制御ユニット８５０により、非操作時の遮蔽材（本例ではスラット）の状態の変化の有無を検知する状態検知センサー８１０からの信号を監視し、非操作時のスラットの変形を検知すると、状態検知センサー８１０からの信号について閾値判定を行い、変形発生情報を送信すると判定すると、信号処理装置２経由で移動端末１、警報装置（ライト又はブザーでの警告を行う警報機１４、又は監視カメラ１５）へと送信する。これにより、居住者が不在時等のセキュリティ監視、見守り等の保安性を向上させることができる。尚、第１実施形態において、状態検知センサー８１０として歪みゲージ又は導電性インクを利用する代わりに、圧電素子、加速度センサー、力センサー、衝撃センサー、振動センサー、弛みセンサーなど種々のものを利用するも可能である。
【００６０】
（第２実施形態の保安機能付きブラインド）
図５は、本発明による第２実施形態の保安機能付きブラインドとして構成されるハイブリッド型のブラインド８Ｎ（横型ブラインド）の概略構成を示す正面図である。また、図６（ａ）,（ｂ）は、本実施形態に係る状態検知センサー８２０の概略的な周辺構成を示す平面図及び正面図である。
【００６１】
図５に示すハイブリッド型のブラインド８Ｎ（横型ブラインド）は、図３に示すものと比較して、多数の状態検知センサー８１０及び多軸コード８１１を用いる構成とする代わりに、多数段のスラット８０３の各々（或いは一定間隔でもよい）を係止部８０１ａで係止する可撓性の検知用コード８２１をヘッドボックス８０１経由で吊下し、検知用コード８０１の端部を接続した弾性体８２２に状態検知センサー８２０を取り付けて構成した点で相違しており、他の構成は同様とすることができる。
【００６２】
可撓性の検知用コード８２１は、図５に示したように多数段のスラット８０３の各々（或いは一定間隔でもよい）を係止部８０１ａで係止している。検知用コード８２１は、はしご状のもの、ピコでスラットを囲むようなもの、ポイントで各スラット８０３に係合するもの等により構成し、係止部８０１ａを構成することができる。
【００６３】
そして図６に示すように、検知用コード８２１の端部をヘッドボックス８０１の底部に設けた開口部８０１ｂを経て導入し、滑車８２４を用いて転向させ、固定部材８２３を用いて弾性体８２２に固定している。本例の弾性体８２２は、ヘッドボックス８０１の底部をコの字状に切り欠いて薄板状とした例を示しているが、ヘッドボックス８０１の底部に別部材の弾性体８２２を載置する構成としてもよい。通常、検知用コード８２１には張力がかからない構成となっており、スラット８０３が引っ張られると、弾性体８２２に力が伝達される。
【００６４】
弾性体８２２には、１個の状態検知センサー８２０が取り付けられており、この状態検知センサー８２０の典型例として歪みゲージ、或いは導電性インクとすることができる。この歪みゲージ、或いは導電性インクに接続される信号コードは制御ユニット８５０に接続されている。本例の制御ユニット８５０は、図４に示す例と同様に構成することができる。
【００６５】
従って、図７に示すように、非操作時にあるにも関わらず、一部のスラット８０３に変形が生じると、検知用コード８２１がヘッドボックス８０１から引き出されたり、引き込まれたりする。すると弾性体８２２が当該一部のスラット８０３に変形に伴って弾性変形し、弾性体８２２に貼着された歪みゲージ、或いは導電性インクの抵抗値が変化する。そこで、制御ユニット８５０は、その抵抗値変化に基づいたセンサー信号の発信強度、発信時間、及び単位時間あたりの発信回数のうち１以上について保安性の観点から１つ又は複数の閾値を設定し、変形発生情報を送信するか否かを判定し、変形発生情報を送信すると判定すると、信号処理装置２経由で移動端末１、警報装置（ライト又はブザーでの警告を行う警報機１４、又は監視カメラ１５）へと送信する。これにより、居住者が不在時等のセキュリティ監視、見守り等の保安性を向上させることができる。尚、第２実施形態において、状態検知センサー８２０として歪みゲージ又は導電性インクを利用する代わりに、圧電素子、加速度センサー、力センサー、衝撃センサー、振動センサー、弛みセンサーなど種々のものを利用するも可能である。
【００６６】
特に、第２実施形態においては、第１実施形態と比較して、状態検知センサー８２０の個数を削減させることができ、低廉化させることができる。
【００６７】
（第３実施形態の保安機能付きブラインド）
図８は、本発明による第３実施形態の保安機能付きブラインドとして構成される横型ブラインドの概略構成を示す正面図である。
【００６８】
図８に示すハイブリッド型のブラインド８Ｎ（横型ブラインド）は、図３及び図５に示すものと比較して、多数段のスラット８０３の直接的な変形を検知する構成とする代わりに、多数段のスラット８０３の間接的な変形を検知するよう、ラダーコード８０２又はチルトドラム８０４に対して状態検知センサー８３０を係合載置して、各状態検知センサー８３０の信号コード８３０ａを制御ユニット８５０に接続する構成とした点で相違しており、他の構成は同様とすることができる。
【００６９】
図８に示すように、状態検知センサー８３０がラダーコード８０２又はチルトドラム８０４に対して係合載置される。例えば、ラダーコード８０２に対し係合載置する状態検知センサー８３０として、ラダーコード８０２に係る張力変化を検知する圧電素子、加速度センサー、力センサー、衝撃センサー、振動センサー、弛みセンサー等の種々のセンサーを利用できる。より具体的には、ラダーコード８０２に対しブラインド操作時にかかる最大荷重を超えるような力が発生しているか否かを閾値判定で変形発生を検出することや、ラダーコード８０２に加わっている力の強度に応じたセンサー信号の発信時間、又は単位時間あたりの発信回数等に対して閾値判定で変形発生を検出することができる。また、チルトドラム８０４に対して状態検知センサー８３０を係合載置するときも、チルトドラム８０４の回転又は揺動変化を検知する圧電素子、加速度センサー、力センサー、衝撃センサー、振動センサー、弛みセンサー等の種々のセンサーを利用できる。
【００７０】
そして、非操作時にあるにも関わらず、一部のスラット８０３に変形が生じると、ラダーコード８０２又はチルトドラム８０４の状態が変化する。すると状態検知センサー８３０が当該一部のスラット８０３に変形に伴ったセンサー信号を制御ユニット８５０に出力する。制御ユニット８５０は、そのセンサー信号の発信強度、発信時間、及び単位時間あたりの発信回数のうち１以上について保安性の観点から１つ又は複数の閾値を設定し、変形発生情報を送信するか否かを判定し、変形発生情報を送信すると判定すると、信号処理装置２経由で移動端末１、警報装置（ライト又はブザーでの警告を行う警報機１４、又は監視カメラ１５）へと送信する。これにより、居住者が不在時等のセキュリティ監視、見守り等の保安性を向上させることができる。
【００７１】
（第４実施形態の保安機能付きブラインド）
図９は、本発明による第４実施形態の保安機能付きブラインドとして構成される横型ブラインドの概略構成を示す正面図である。
【００７２】
図９に示すハイブリッド型のブラインド８Ｎ（横型ブラインド）は、図３及び図５に示すものと比較して、多数段のスラット８０３の直接的な変形を検知する構成とする代わりに、多数段のスラット８０３の間接的な変形を検知するよう、昇降コード８０５に対して状態検知センサー８４０を係合載置して、各状態検知センサー８４０の信号コード８４０ａを制御ユニット８５０に接続する構成とした点で相違しており、他の構成は同様とすることができる。尚、変形例として、昇降コード８０５用の巻取ドラムが設けられるときは、その巻取ドラムに対して状態検知センサー８４０を係合載置した構成とすることもできる。
【００７３】
図９に示すように、状態検知センサー８４０が昇降コード８０５に対して係合載置される。例えば、昇降コード８０５に対し係合載置する状態検知センサー８４０として、昇降コード８０５に係る張力変化を検知する圧電素子、加速度センサー、力センサー、衝撃センサー、振動センサー、弛みセンサー等の種々のセンサーを利用できる。また、変形例として、昇降コード８０５用の巻取ドラムが設けられるときは、その巻取ドラムに対して状態検知センサー８４０を係合載置するときは、チルトドラム８０４の回転又は揺動変化を検知する圧電素子、加速度センサー、力センサー、衝撃センサー、振動センサー、弛みセンサー等の種々のセンサーを利用できる。
【００７４】
そして、非操作時にあるにも関わらず、一部のスラット８０３に変形が生じると、昇降コード８０５（又は変形例の当該巻取ドラム）の状態が変化する。すると状態検知センサー８４０が当該一部のスラット８０３に変形に伴ったセンサー信号を制御ユニット８５０に出力する。制御ユニット８５０は、そのセンサー信号の発信強度、発信時間、及び単位時間あたりの発信回数のうち１以上について保安性の観点から１つ又は複数の閾値を設定し、変形発生情報を送信するか否かを判定し、変形発生情報を送信すると判定すると、信号処理装置２経由で移動端末１、警報装置（ライト又はブザーでの警告を行う警報機１４、又は監視カメラ１５）へと送信する。これにより、居住者が不在時等のセキュリティ監視、見守り等の保安性を向上させることができる。
【００７５】
図１０（ａ）,（ｂ）は、それぞれ本発明に係る一実施例の状態検知センサー８３０（又は８４０）の構成及び動作を示す斜視図である。ラダーコード８０２に対し状態検知センサー８３０を係合載置する場合、或いは、昇降コード８０５に対し状態検知センサー８４０を係合載置する場合、これらのコードに対し滑車８１３を介在させる。滑車８１３の回転軸８１３ａは支持板８１４で支持され、支持板８１４は板バネ等の付勢手段８１５により揺動可能に、且つ当該コードに対し所定のテンションを付与する。状態検知センサー８３０（又は８４０）は、この支持板８１４に固着される。図１０（ａ）に示すように、非操作時では静的状態で当該コードに対し所定のテンションが付与されている。一方、一部のスラット８０３に変形が生じると、図１０（ｂ）に示すように、当該コードに対して付与されていたテンションが変化し、支持板８１４が揺動する。すると、支持板８１４に固着された状態検知センサー８３０（又は８４０）は、当該コードに係る張力変化に応じたセンサー信号を制御ユニット８５０に出力する。制御ユニット８５０は、そのセンサー信号の発信強度、発信時間、及び単位時間あたりの発信回数のうち１以上について保安性の観点から１つ又は複数の閾値を設定し、変形発生情報を送信するか否かを判定することができる。この場合、コード８０５に係る張力変化を検知する圧電素子、加速度センサー、力センサー、衝撃センサー、振動センサー、弛みセンサー等の種々のセンサーを利用できる。
【００７６】
図１１（ａ）,（ｂ）は、それぞれ本発明に係る別の一実施例の状態検知センサー８３０（又は８４０）の構成及び動作を示す平面図であり、この場合、状態検知センサー８３０（又は８４０）としてジョイスティック型やタクト型等のスイッチを用いたＯＮ／ＯＦＦ式の弛みセンサーで構成した例である。非操作時では静的状態で当該コードに対し所定のテンションが予め付与されている。ラダーコード８０２に対し状態検知センサー８３０を係合載置する場合、或いは、昇降コード８０５に対し状態検知センサー８４０を係合載置する場合、これらのコードに対し状態検知センサー８３０（又は８４０）の可動軸部８３０ａ（又は８４０ａ）を係合させる。図１１（ａ）に示すように、非操作時では静的状態で当該コードに対し所定のテンションが付与されている（当該スイッチがＯＮ状態）。一方、一部のスラット８０３に変形が生じると、図１１（ｂ）に示すように、当該コードに対して付与されていたテンションが変化し、当該可動軸部８３０ａ（又は８４０ａ）が揺動し（当該スイッチがＯＮ／ＯＦＦで変化）、当該コードに係る張力変化に応じたセンサー信号を制御ユニット８５０に出力する。制御ユニット８５０は、そのセンサー信号の発信強度、発信時間、及び単位時間あたりの発信回数のうち１以上について保安性の観点から１つ又は複数の閾値を設定し、変形発生情報を送信するか否かを判定することができる。
【００７７】
図１０及び図１１に例示する状態検知センサー８３０（又は８４０）の技法を用い、或いは組み合わせることで、チルトドラム８０４や昇降コード８０５用の巻取ドラムの揺動変換を検知する構成とすることが可能である。
【００７８】
尚、各実施形態において、制御ユニット８５０は、そのセンサー信号の発信強度、発信時間、及び単位時間あたりの発信回数のうち１以上について保安性の観点から複数の閾値を設定し、例えば重度、中度、軽度といった複数種類の変形発生情報を送信する構成とすることもできる。
【００７９】
以上、特定の実施形態の例を挙げて本発明を説明したが、本発明は前述の実施形態の例に限定されるものではなく、その技術思想を逸脱しない範囲で種々変形可能である。例えば、第１乃至第４実施形態の保安機能付きブラインドについて適宜組み合わせた別の実施形態とすることもできる。
【００８０】
また、上述した例では主として非操作時のスラットの変形を検知する保安機能付きブラインドとして、横型ブラインドを例に説明したが、横型ブラインド、ロールスクリーン、カーテン、ローマンシェード等においても、これらのブラインドの遮蔽材の開閉に用いられる移送手段（移送コード、移送ベルト軸、或いは移送用ランナー等）に状態検知センサーを係合載置することができる。そして、制御ユニット８５０は、当該移動手段に係合載置された状態検知センサーからの信号を監視し、非操作時の遮蔽材の変形を検知し、検知した旨を示す変形発生情報を他機器へ送信する構成とすることができる。従って、本発明は各実施形態の例に限定されるものではなく、特許請求の範囲の記載によってのみ制限される。
【産業上の利用可能性】
【００８１】
本発明によれば、居住者が不在時等のセキュリティ監視、見守り等の保安性を向上させることができるので、種々のブラインドの用途に有用である。
【符号の説明】
【００８２】
１  移動端末
２  信号処理装置
３  無線ルーター
８Ｅ  電動ブラインド
８Ｎ  ブラインド
１１  サーバー
１３  ホームサーバー
１４  警報機（ライト／ブザー）
１５  監視カメラ
８０１  ヘッドボックス
８０２  ラダーコード
８０３  スラット
８０４  チルトドラム
８０５  昇降コード
８１１  多軸コード
８２１  検知用コード
８２２  弾性体
８１０，８２０，８３０，８４０  状態検知センサー
８５０  制御ユニット
【図１】
2019190117.tif 000003
【図２】
2019190117.tif 000004
【図３】
2019190117.tif 000005
【図４】
2019190117.tif 000006
【図５】
2019190117.tif 000007
【図６】
2019190117.tif 000008
【図７】
2019190117.tif 000009
【図８】
2019190117.tif 000010
【図９】
2019190117.tif 000011
【図１０】
2019190117.tif 000012
【図１１】
2019190117.tif 000013